【事件の表示】
　上記当事者間の登録第４７０６７９０号商標の登録取消審判事件について、次のとおり審決する。
【結　論】
　登録第４７０６７９０号商標中の「第９類　動画音声圧縮伸長機能を搭載した電子計算機，動画音声圧縮伸長機能を搭載した携帯情報端末機」については、その登録は取り消す。
　審判費用は、被請求人の負担とする。
【理　由】
１　本件商標
　本件登録第４７０６７９０号商標（以下「本件商標」という。）は、別掲に示すとおりの構成からなり、平成１１年１２月１３日に登録出願、第９類に属する商標登録原簿に記載のとおりの商品を指定商品として、同１５年９月５日に設定登録されたものである。
　　　
２　請求人の主張の要点
　請求人は、結論と同旨の審決を求め、その理由及び答弁に対する弁駁を要旨次のように述べた。
（１）請求の理由
　本件商標は、その指定商品のうち「動画音声圧縮伸長機能を搭載した電子計算機，動画音声圧縮伸長機能を搭載した携帯情報端末機」について、継続して３年以上日本国内において商標権者、専用使用権者または通常使用権者のいずれも使用した事実が存在しないから、商標法第５０条第１項の規定により取り消されるべきものである。
（２）弁駁の理由
　乙各号証からは、本件商標が、取消請求に係る指定商品「動画音声圧縮伸長機能を搭載した電子計算機，動画音声圧縮伸長機能を搭載した携帯情報端末機」に使用していることは証明されていない。
（ア）乙第２号証について
　乙第２号証の記載内容を読むと、「ＭＰＥＧ　ＩＭＸ」（本件商標を通常の形態で書したもの）は、録画方式を示す語句として使用されており、商品の名称として使用されていないことは明らかである。したがって、これによっては、本件商標が取消請求に係る指定商品に使用していることは証明されない。
（イ）乙第３号証及び乙第４号証について
　乙第３号証及び乙第４号証に掲載しているビデオカメラは、カムコーダーであり、カムコーダーとは、ビデオカメラの一種で、撮影部（ビデオカメラ）と録画部（ビデオデッキ）を一体化したものをいう（甲第２号証：フリー百科事典「ウィキペディア」）。したがって、これに記載している商品は、電気通信機械器具に属する商品である。したがって、これによっては、本件商標が取消請求に係る指定商品に使用していることは証明されない。
　なお、乙第３号証及び乙第４号証には、「ＭＰＥＧ　ＩＭＸ記録方式を採用した（中略）デジタルカムコーダー」の記載がある。このことから、「ＭＰＥＧ　ＩＭＸ」は、録画方式を示す語句であり、商品の名称でないことは明らかである。
（ウ）乙第５号証及び乙第６号証について
　被請求人は、「動画音声圧縮伸長機能を搭載した電子計算機」の中には、「周辺機器」も含まれる旨主張しているが、乙第５号証及び乙第６号証に記載されている商品は「ドライブ（ユニット）」であり、これ自体「電子計算機」とは別個の商品表示である（甲第３号証：特許庁電子図書館の「商品・役務名リスト」）。また、これに記載されている商品の価格は、それぞれ６０万円（税抜）及び３８万（税抜）と高額であることを考慮すると、これら商品は、「電子計算機」とは別個に取引される商品であることが伺われる。したがって、これに記載している商品は、「動画音声圧縮伸長機能を搭載した電子計算機の周辺機器」にはあたらないから、これによっては、本件商標が取消請求に係る指定商品に使用していることは証明されない。
　　
３　被請求人の答弁の要点
　被請求人は、本件審判請求は成り立たない、審判費用は請求人の負担とする、との審決を求めると答弁し、その理由を要旨次のように述べ、証拠方法として乙第１号証ないし乙第６号証を提出した。
（１）証明に係る指定商品の範囲について
　取消請求に係る指定商品は、「動画音声圧縮伸長機能を搭載した電子計算機，動画音声圧縮伸長機能を搭載した携帯情報端末機」であって、本件商標の出願は平成１１年１２月１３日であることから、改訂第８版の類似商品審査基準に基づいて判断されることになる。
　そして、このことは「動画音声圧縮伸長機能を搭載した電子計算機」の意味するところが「動画音声圧縮伸長機能を搭載した電子計算機（中央処理装置及び電子計算機用プログラムを記憶させた電子回路・磁気ディスク・磁気テープその他の周辺機器を含む。）」である。すなわち、「動画音声圧縮伸長機能を有するソフトウェア」、「動画音声圧縮伸長機能を有するディスクドライブ」等も含まれている。
（２）証明に係る商標について
（ア）乙第２号証について
　乙第２号証は２００７年２月発行のプロフェショナルディスクシステム「ＸＤＣＡＭ」のカタログの写し（ソニー株式会社発行）であり、その第２頁には、ソニーオリジナルの「動画音声圧縮伸長機能」の形式名称としてカラーで描かれた商標が使用されている。
（イ）乙第３号証及び乙第４号証について
　乙第３号証及び乙第４号証は、ソニー株式会社の子会社であるソニーマーケティング株式会社発行の「ＭＳＷ−９７０」（ビデオカメラ）の電子カタログの写しであり、カムコーダＭＳＷ−９７０の写真の左横にカラーで描かれた本件商標が使用されている。
（ウ）乙第５号証について
　乙第５号証は、ソニー株式会社発行の子会社であるソニーマーケティング株式会社の「ノンリニア編集用のＸＤＣＡＭドライブユニット」の「ＰＤＷ−Ｄ１」の電子カタログ写しであり、そのカタログ第１頁の下方には「ＭＰＥＧ　ＩＭＸ記録メディアのＤＶＣＡＭ出力が可能です。」及び「付属のソフトウェアＰＤＺ−１を用いて、メタデータの記録が可能です。」と記載されており、下方に本件商標が使用されている。
（エ）乙第６号証について
　乙第６号証は、ソニー株式会社発行の子会社であるソニーマーケティング株式会社の「パソコンで再生可能なＸＤＣＡＭドライブ」の「ＰＤＷ−Ｕ１」の電子カタログの写しであり、そのカタログ第１頁の下方には「ＭＰＥＧ　ＩＭＸ〜に対応します。」及び「対応ソフトウェアにてパソコンでのプレビュー・簡易編集が可能」と記載されており、下方に本件商標が使用されている。
（オ）ドライブ（周辺装置）について
　乙第５号証及び乙第６号証に係るドライブは、「パソコンで再生可能なＸＤＣＡＭドライブ」と記載されているように電子計算機の周辺装置であると共に、ソニー独自のフォーマットに基づき動画音声圧縮伸長機能をもった周辺装置に該当するものである。
（３）まとめ
　以上のとおり、乙第２号証ないし乙第６号証より商標権者であるソニー株式会社は本件商標「ｍｐｅｇＩＭＸ」を付した「動画音声圧縮伸長機能を搭載した電子計算機」に含まれる「動画音声圧縮伸長機能を搭載した電子計算機の周辺機器」について平成１９年２月の時点で使用していた。
　なお、被請求人は、さらに詳細な証拠を追って補充する予定であり、本件の審判事件の審理を証拠が出揃うまで猶予されたい。
　　　
４　当審の判断
　被請求人提出の証拠（乙第２号証ないし乙第６号証）によれば、商標権者並びにソニーマーケティング株式会社によって本件審判請求の登録前３年以内の時期に、商品カタログないしはインターネット上でのカタログサイトにおいて、商標権者開発に係るプロフェショナルディスクシステムＸＤＣＡＭとする商品、即ち、専ら映像制作及び編集用機材としての業務用ビデオカメラ及びその周辺機器に関して本件商標と社会通念上同一と認められる商標を使用していることは認めることができる。
　しかしながら、本件取消請求に係る指定商品は、本件商標の指定商品中の「動画音声圧縮伸長機能を搭載した電子計算機，動画音声圧縮伸長機能を搭載した携帯情報端末機」についての登録の取消を求めているところ、被請求人は、乙第５号証及び乙第６号証に係るドライブは、「パソコンで再生可能なＸＤＣＡＭドライブ」と記載されているように電子計算機の周辺装置である旨主張するが、乙第５号証及び乙第６号証のカタログ類は、その記載内容からして、専ら映像制作及び編集用機材としてのものであって、少なくとも（動画音声圧縮伸長機能を搭載した）電子計算機用プログラムを記憶させた電子回路・磁気ディスク・磁気テープその他の周辺機器について使用するものと認めるのは困難である。
　してみると、被請求人は、取消請求に係る指定商品についての使用あるいは不使用の正当理由を明らかにしたとはいえず、他に、これを認め得る証拠はないから、本件商標は、その指定商品中「動画音声圧縮伸長機能を搭載した電子計算機，動画音声圧縮伸長機能を搭載した携帯情報端末機」について、その登録の取消を免れないものである。
　なお、被請求人は審理に関して、さらなる詳細な証拠が出揃うまでの間の猶予を求めているが、答弁書提出から相当の期間を経過するも何ら答弁、立証するところがなく、審理を遅滞させるような格別の事情も見いだせないから、これを待たずに結審する。
　したがって、本件商標は、指定商品中「結論掲記の指定商品」について、商標法第５０条に基づき、その登録を取り消すべきものである。
　よって、結論のとおり審決する。